(57)【要約】【課題】より簡単な接続作業によって、接続部材と導電線材２０を接続性良く電気的につなげることにある。【解決手段】布材１０の一部を複数の導電線材２０で構成するとともに、一部とは異なる布材１０の他部を、導電線材２０よりも脆弱な他の線材にて構成して、分割手段によって他の線材を布材１０から除去して、布材本体１０ｂと布材片１０ｆに分割することにより、布材本体１０ｂと布材片１０ｆの間の分割部（２２ａ）から複数の導電線材２０を露出させる第１工程と、布材本体１０ｂと布材片１０ｆによって、複数の導電線材２０の相対位置関係を維持しつつ、分割部（２２ａ）から露出した複数の導電線材２０に接続部材３０を電気的につなげる第２工程を備える。【選択図】図３
2010245006.tif 000002
【特許請求の範囲】
【請求項１】
通電可能な複数の導電線材と、前記導電線材に電力を供給可能な接続部材とを備える布材の製造方法において、
前記布材の一部を前記複数の導電線材で構成するとともに、前記一部とは異なる前記布材の他部を、前記導電線材よりも脆弱な他の線材にて構成して、
分割手段によって他の線材を前記布材から除去して、布材本体と布材片に分割することにより、前記布材本体と前記布材片の間の分割部から前記複数の導電線材を露出させる第１工程と、
前記布材本体と前記布材片によって、複数の導電線材の相対位置関係を維持しつつ、前記分割部から露出した前記複数の導電線材に前記接続部材を電気的につなげる第２工程を備える布材の製造方法。
【請求項２】
前記布材片で、前記接続部材を被覆する第３工程を備える請求項１に記載の布材の製造方法。
【発明の詳細な説明】
【技術分野】
【０００１】
本発明は、導電線材と接続部材を有する布材の製造方法に関する。
【背景技術】
【０００２】
この種の布材として特許文献１の織物が公知である。この織物は、ヒータとして使用可能であり、主構成としての他の線材（絶縁繊維などの非導電糸）と、導電線材と、導電線材に電力を供給可能な接続部材を有する。導電線材は、通電により発熱可能な導電糸であり、金属、合金、導電性プラスチック又は炭素繊維にて構成される。
そして公知技術では、経糸又は緯糸の大部分に非導電糸を用いるとともに、これら糸の一部に導電線材を用いて織物を織製する。つぎに接続部材を織物に熱溶着又は貼着する（接続作業を行う）ことで、導電線材と接続部材を電気的につなげることができる。
【先行技術文献】
【特許文献】
【０００３】
【特許文献１】特開２００７−２２７３８４号公報
【発明の概要】
【発明が解決しようとする課題】
【０００４】
しかし公知技術では、織物の主構成である非導電糸が、導電線材と接続部材の接触の邪魔となるなどして、両者の接続性が悪化することがあった。
もっとも他の線材を除去すればよいが、そうすると支えを失った導電糸が湾曲などして、他の導電糸と混線しやすくなる（接続作業に手間取る構成となる）。
本発明は上述の点に鑑みて創案されたものであり、本発明が解決しようとする課題は、より簡単な接続作業によって、接続部材と導電線材を接続性良く電気的につなげることにある。
【課題を解決するための手段】
【０００５】
上記課題を解決するための手段として、第１発明の布材の製造方法は、通電可能な導電線材と、導電線材に電力を供給可能な接続部材とを備える布材の製造方法である。
そしてこの種の布材では、より簡単な接続作業によって、接続部材と導電線材を接続性良く電気的につなげられることが望ましい。
そこで本発明では、布材の一部を導電線材で構成するとともに、一部とは異なる布材の他部を、導電線材よりも脆弱な他の線材（強度の低い線材、溶融しやすい線材、燃焼しやすい線材、耐薬品性に劣る線材等）にて構成する。
【０００６】
そして下記の２工程によって、導電線材と接続部材を電気的につなげることとした。
第１工程：分割手段によって他の線材を布材から除去して、布材本体と布材片に分割することにより、両者の間の分割部（分断部や分割孔部）から導電線材を露出させる。
第２工程：布材本体と布材片によって、複数の導電線材の相対位置関係を維持しつつ、分割部から露出した複数の導電線材に接続部材を電気的につなげる。
本発明では、上述の布材片を、露出した導電線材（被接続部分）を固定するための冶具として使用する構成（比較的シンプルな構成）である。そしてこの構成によって、複数の導電線材の相対位置関係を維持することにより、各導電線材を極力混線させることなく接続部材と電気的につなげることができる。
【０００７】
第２発明の布材の製造方法は、第１発明に記載の布材の製造方法であって、第３工程において、上述の布材片で接続部材を覆う（保護する）こととした。
本発明では、接続部材を布材片で保護することにより、運搬時や使用時における接続部材の破損等を防止又は低減して、布材の耐久性を向上させることができる。
【発明の効果】
【０００８】
本発明に係る第１発明によれば、より簡単な接続作業によって、接続部材と導電線材を接続性良く電気的につなげることができる。そして第２発明によれば、布材の構成要素を有効利用して、布材の耐久性を向上させることができる。
【図面の簡単な説明】
【０００９】
【図１】車両用シートの斜視図である。
【図２】（ａ）は、表皮材の正面図であり、（ｂ）は分割後の表皮材の正面図である。
【図３】（ａ）は、表皮材の縦断面図であり、（ｂ）は、表皮材と接続部材の縦断面図であり、（ｃ）は、表皮材と接続部材の別の縦断面図であり、（ｄ）は、表皮材と接続部材の更に別の縦断面図である。
【図４】シートクッション一部の縦断面図である。
【図５】実施形態２に係る表皮材の縦断面図である。
【図６】実施形態２に係るシートクッション一部の縦断面図である。
【図７】実施形態３に係る表皮材の正面図である。
【発明を実施するための形態】
【００１０】
以下、本発明を実施するための形態を、図１〜図７を参照して説明する。各図では、便宜上、一部の導電線材にのみ符号を付すことがある。
そして各図には、適宜、車両用シート前方に符号Ｆ、車両用シート後方に符号Ｂ、車両用シート上方に符号ＵＰ、車両用シート下方に符号ＤＷを付す。
【００１１】
図１の車両用シート２は、シートクッション４とシートバック６とヘッドレスト８を有する。これら部材は、各々、シート外形をなすクッション材（４Ｐ，６Ｐ，８Ｐ）と、表皮材（４Ｓ，６Ｓ，８Ｓ）を有する（図４を参照）。
そして各実施形態では、シートクッション４の表皮材４Ｓが、複数の導電線材２０を備える布材１０（詳細後述）にて構成されている（図２を参照）。この布材１０は、複数の導電線材２０に接続部材３０を電気的につなげることで、静電容量式センサの電極又はヒータとして機能するのであるが、このとき導電線材２０と接続部材３０を接続性良くつなげることが望まれる（図３を参照）。
そこで各実施形態では、後述する各工程（簡単な接続作業）によって、接続部材３０と導電線材２０を接続性良く電気的につなげることとした。
【００１２】
＜実施形態１＞
本実施形態では、表皮材４Ｓとしての布材１０を作製（前工程）したのち、下記の２工程によって接続部材３０と導電線材２０を電気的につなげる（図２及び図３を参照）。
第１工程：分割手段によって他の線材を布材１０から除去して、布材本体１０ｂと布材片１０ｆに分割する。そして布材本体１０ｂと布材片１０ｆの間の分断部２２ａ（分割部の一例）から導電線材２０を露出させる。
第２工程：布材本体１０ｂと布材片１０ｆによって、複数の導電線材２０の相対位置関係を維持しつつ、分断部２２ａから露出した複数の導電線材２０に接続部材３０を電気的につなげる。
【００１３】
［前工程］
前工程では、導電線材２０と他の線材を用いて布材１０を作製する。この布材１０は、織物、編物及び不織布のいずれでもよい。
また後述するように、表皮材４Ｓとして布材１０を用いる場合には、適宜パッド材１２や裏基布を用いることができる（図４を参照）。以下、各構成について詳述する。
【００１４】
（他の線材）
他の線材は、導電線材２０（後述）よりも脆弱な線材であり、布材１０の主構成として使用することができる（図２を参照）。例えば他の線材は、導電線材２０と比較して、強度の低い線材、溶融しやすい線材、燃焼しやすい線材又は耐薬品性に劣る線材であることが望ましい。
上記他の線材（材質）として、植物系及び動物系の天然繊維、熱可塑性樹脂又は熱硬化性樹脂からなる化学繊維及びこれらの混紡繊維を例示できる。そして絶縁繊維の線材（フィラメントや紡績糸等）を布材１０の構成として使用することができる。
【００１５】
上述の絶縁繊維の多くは、導電線材２０よりも脆弱である（例えば強度に劣る）。
また一般的な天然繊維は、導電線材２０よりも燃焼しやすい。そして天然繊維の主成分であるタンパク質は、タンパク質分解酵素や変性剤（酸や塩基）などの薬剤によって比較的簡単に分解又は脆弱化することができる。
そして一般的な化学繊維は、導電線材２０よりも低融点であるか又は燃焼しやすい傾向にある。また化学繊維は、有機溶剤などの薬剤によって比較的簡単に溶解又は脆弱化することができる。
【００１６】
（導電線材）
導電線材２０は、通電可能な導電性の線材である（図２を参照）。この導電線材２０を布材１０に取付けることで、布材１０自体を、静電容量式センサの電極やヒータとして用いることができる。
上述の導電線材２０として、金属や合金などの導電糸、炭素繊維のフィラメント及びメッキされた非導電糸（メッキ線材）を例示できる。
ここで炭素繊維とは、ポリアクリロニトリル系炭素繊維（ＰＡＮ系炭素繊維）やピッチ系炭素繊維である。なかでも焼成温度１０００℃以上の炭素繊維（炭素化繊維、黒鉛化繊維、黒鉛繊維）は良好な電気伝導性を有するため、本実施形態の導電線材２０として好適に使用できる。
【００１７】
そして導電線材２０は、他の線材よりも高強度の線材、高融点の線材、燃焼しにくい線材又は耐薬品性の高い線材であることが好ましい。例えば金属、合金又は炭素繊維の導電線材２０はいずれも剛性に優れ、上述の絶縁繊維よりも高強度であることが多い。
また導電糸やメッキ線材は、典型的に絶縁繊維よりも高融点であるか、または絶縁繊維よりも燃焼しにくい傾向にある。そして導電糸やメッキ線材は、典型的なタンパク質分解酵素や樹脂の溶解薬剤に耐性を有する。
そして炭素繊維（ＰＡＮ系炭素繊維及びピッチ系炭素繊維）は、非溶融性であるとともに、典型的に天然繊維や合成繊維よりも燃焼しにくい。また炭素繊維は、典型的なタンパク質分解酵素や樹脂の溶解薬剤に耐性を有する。
【００１８】
（布材の作製）
本実施形態では、布材１０の一部を複数の導電線材２０で構成する。そして布材１０の他部を、導電線材２０よりも脆弱な他の線材にて構成する。ここで複数の導電線材２０を、布材１０上に並列して配置させることが好ましい。例えば導電線材２０は、直線状又は波状として布材１０に配置する。
なお導電線材２０同士の間隔寸法（Ｗ１）は特に限定しないが、典型的には５ｍｍ〜５０ｍｍに設定することができる。ここで間隔寸法（Ｗ１）を５ｍｍ未満としてもよいが、導電線材２０の数が必要以上に増加してコスト高となる。また間隔寸法（Ｗ１）を５０ｍｍよりも長く設定すると、布材１０中の導電線材２０がまばら（疎ら）となり、センサ機能やヒータ機能の悪化を招きやすい。
【００１９】
例えば布材１０としての織物を作製する場合、緯糸と経糸の一部に導電線材２０を用いるとともに、一部以外の他部に他の線材（絶縁繊維）を用いる。
また布材１０としての編物を作製する場合、ウェール方向の糸又はコース方向の糸の一部に導電線材２０を用いるとともに、一部以外の他部に他の線材（絶縁繊維）を用いる。
そして布材１０としての不織布を作製する場合、例えば導電線材２０と他の線材（典型的にいずれも短繊維）を混合してウェブを形成したのち交絡して不織布とする。
【００２０】
ここで布材１０を表皮材４Ｓに用いる場合、シートの着座性を考慮して、布材１０の裏面にバッキングを施したのち（樹脂層を形成したのち）、パッド材１２や裏基布（図示省略）を配設することができる（図４を参照）。パッド材１２は、柔軟性を備える多孔性の部材であり、例えばウレタンパッドや軟質ウレタンフォームを用いることができる。また裏基布は、例えば織編物や不織布（他の線材）にて構成できる。
そして布材１０とパッド材１２等をこの順で積層して接合手段により一体化したのち、所定の形状にカットする。接合手段として、ラミネート加工（溶着）、縫着、接着などの手法を例示できる。
【００２１】
［第１工程］
第１工程では、分割手段（後述）によって他の線材を布材１０から除去して、布材１０の側部に切れ目を形成する（図２を参照）。このとき他の線材は、分割手段によって切断されるが、導電線材２０は切断されることなくそのままの状態で残存する。
なおパッド材１２（樹脂層又は裏基布）を布材１０に設けた場合には、このパッド材１２等も同時に切断することが好ましい（図４を参照）。
【００２２】
そして布材本体１０ｂから布材片１０ｆを剥き取るように引離して、布材本体１０ｂと布材片１０ｆに分割する。そして分断部２２ａから複数の導電線材２０を露出させる。
このとき各導電線材２０の一端は布材本体１０ｂに固定されており、各導電線材２０の他端は布材片１０ｆに固定されている。すなわち布材片１０ｆが、露出した導電線材２０（被接続部分）を固定するための冶具となる。このため複数の導電線材２０の相対配置位置（並列状）が、布材本体１０ｂと布材片１０ｆによって維持されることとなる。
【００２３】
（分割手段）
ここで分割手段とは、導電線材２０を残しつつ、極力他の線材だけを除去する手段である。この分割手段は、導電線材２０と他の線材の特性差を考慮して適宜選択される。
例えば両線材の強度差を考慮して、分割手段として、布材１０を物理的に分割する装置（カッターやハサミ等）を使用できる。また両線材の融点や燃焼度合いを考慮して、分割手段としてレーザなどの光学装置を使用できる。また両線材の耐薬品性を考慮して、分割手段として各種の薬剤を使用できる。
なおこれら分割手段を適宜組み合わせて使用することもできる。
【００２４】
［第２工程］
第２工程では、布材本体１０ｂと布材片１０ｆによって、複数の導電線材２０の相対位置関係を維持しつつ、分断部２２ａから露出した複数の導電線材２０に接続部材３０を電気的につなげる（図３を参照）。
本実施形態の接続部材３０は、導電線材２０の配置方向と直交する向きに長尺な部材であり、複数の導電線材２０に跨ることのできる長さ寸法を有することが好ましい。
【００２５】
（接続部材）
接続部材３０として、例えば導線（電線）や導電糸などの接続部材３０（線状）や、導電テープやメッキ体などの接続部材３０（帯状）を用いることができる。メッキ体とは、布帛やゴム製の基材（帯状）にメッキ処理を施した部材であり、湾曲又は屈曲可能な柔軟性を有することが好ましい。
なお接続部材３０と導電線材２０の取付け手法は特に限定しないが、接着、溶着及びカシメ等の手法を例示することができる。
【００２６】
そして図３を参照して、分断部２２ａの導電線材２０上に接続部材３０（帯状）を配置したのち、導電線材２０と接続部材３０を縫着する。そして導電線材２０を接続部材３０で包み込みつつ、布材本体１０ｂに対して布材片１０ｆを下方向（一方向）に内折りする。つぎに布材本体１０ｂの表裏面に接続部材３０を縫着することで、導電線材２０と接続部材３０を電気的につなげる。
このとき本実施形態では、上述の接続作業後において、布材本体１０ｂから布材片１０ｆを剥き取るなどして、導電線材２０の端部２０ｅを露出させることができる。この端部２０ｅ（本数など）を確認することにより、全ての導電線材２０が接続部材３０と電気的につながっているかどうかを確認することができる。
【００２７】
そして接続部材３０に電源ケーブルの端子（図示省略）をつなげて、複数の導電線材２０の電気回路を布材１０（表皮材４Ｓ）に形成する。最後に所定形状の布材１０と、他の布材１１を縫合して表皮材４Ｓを形成する（図４を参照）。
この表皮材４Ｓでクッション材４Ｐを被覆したのち、複数の導電線材２０に通電することで、静電容量式センサの電極やヒータとして表皮材４Ｓを使用することができる。
【００２８】
以上説明したとおり、本実施形態では、上述の布材片１０ｆを、露出した導電線材２０（被接続部分）を固定するための冶具として使用する構成（比較的シンプルな構成）である。この構成によって、複数の導電線材２０の相対位置関係を維持することにより、複数の導電線材２０を極力混線させることなく接続部材３０と電気的につなげることができる。このため本実施形態によれば、より簡単な接続作業によって、接続部材３０と導電線材２０を接続性良く電気的につなげることができる。
また本実施形態では、接続後の端部２０ｅを確認することにより、全ての導電線材２０が接続部材３０とつながっているかどうかを容易に確認することができる。
【００２９】
＜実施形態２＞
本実施形態の布材は、実施形態１の布材とほぼ同一の基本構成を備えるため、共通の構造等は対応する符号を付して詳細な説明を省略する。
本実施形態では、布材１０に対して、第１工程と第２工程を行ったのち、下記の第３工程を行うことで、布材１０の耐久性を向上させる。
【００３０】
［第３工程］
第３工程では、接続後の布材片１０ｆを保護部材として有効利用する（図５を参照）。すなわち本工程では、布材本体１０ｂに対して布材片１０ｆを上方向に内折りして（前記一方向とは異なる他方向に重折りして）、接続部材３０を布材片１０ｆで包み込む。
そして布材本体１０ｂの表裏面に布材片１０ｆを縫着することで、布材片１０ｆで接続部材３０を覆う（保護する）。
そして所定形状の布材１０と、他の布材１１を縫合して表皮材４Ｓを形成する（図５を参照）。このとき各布材の端部を中表状に縫着して、袋状の表皮材４Ｓを形成する。布材１０の端部には、接続部材３０が配置されて、表皮材４Ｓ裏面から突出する。
【００３１】
次に図６を参照して、表皮材４Ｓとしての布材１０でクッション材４Ｐを被覆する。そしてクッション材４Ｐの凹部に布材端部（接続部材３０）を配置するのであるが、この構成では、乗員の着座動作などによって接続部材３０とクッション材４Ｐが接触（摩擦）することが懸念される。
そこで本実施形態では、接続部材３０を布材片１０ｆで保護することにより、上記構成において接続部材３０の摩耗や破損を防止又は低減することができる。
また表皮材４Ｓ（布材１０）の搬送時においても、接続部材３０が他部材に接触することがある。このときにも布材片１０ｆの保護により、接続部材３０の摩耗や破損を防止又は低減することができる。
本実施形態によれば、上述の通り、運搬時や使用時における接続部材３０の破損等を防止又は低減して、表皮材４Ｓ（布材１０）の耐久性を向上させることができる。
【００３２】
＜実施形態３＞
本実施形態の布材は、実施形態１又は実施形態２の布材とほぼ同一の基本構成を備えるため、共通の構造等は対応する符号を付して詳細な説明を省略する。
本実施形態の第１工程では、分割手段によって他の線材を布材１０から除去して、布材本体１０ｂと布材片１０ｆの間に分割孔部２２ｂ（分割部の他例）を形成する（図７を参照）。分割孔部２２ｂは、布材本体１０ｂと、布材片１０ｆと、これら部材を連結する一対の連結部位２２ｃによって形成される。
そしてこの分割孔部２２ｂから複数の導電線材２０を露出させる。このとき分割孔部２２ｂから全ての導電線材２０を露出させてもよく、大部分の導電線材２０を露出させることもできる（一部の導電線材２０を非露出状態としてもよい）。
【００３３】
そして本実施形態では、布材本体１０ｂと布材片１０ｆが、一対の連結部位２２ｃによって連結状態とされる。
この連結部位２２ｃによって、布材本体１０ｂと布材片１０ｆの相対位置関係が維持されるため、第２工程における両部材のズレを防止又は低減することができる。このため第２工程において、接続部材３０を導電線材２０に作業性良く縫着することができる。
また第３工程においても、布材本体１０ｂと布材片１０ｆが連結されていることから、両部材を、比較的手軽に位置決めして縫着することができる。
【００３４】
本実施形態の布材とその製造方法は、上述した実施形態に限定されるものではなく、その他各種の実施形態を取り得る。
（１）本実施形態では、布材１０の端部に分割部（２０ａ，２０ｂ）を設ける例を説明したが、分割部の位置を限定する趣旨ではない。すなわち分割部は、布材１０の中央に設けてもよい。
また布材１０を電極として用いる場合には、単数の分割部（２０ａ，２０ｂ）を布材１０に設けることができる。そして布材１０をヒータとして用いる場合には、複数の分割部（２０ａ，２０ｂ）を布材１０に設けることができる。例えば布材１０の両端に一対の分割部を設ける。そして一対の接続部材を、複数の導電線材の両端に取付けることで、導電線材を通電により発熱させることができる。
【００３５】
（２）また実施形態１では、布材片１０ｆを除去する例を説明した。この布材片１０ｆは廃棄することもできるが、実施形態２のように保護部材として使用することもできる。すなわち布材本体から布材片を一旦除去したのち、布材本体に布材片を再度取付けて接続部材を保護することもできる。
（３）また実施形態３では、一対の連結部位３２ｃを形成する例を説明したが、連結部位の数等を限定する趣旨ではない。例えば分割部の形状を適宜変更するなどして、単数の連結部位を形成してもよく、３以上の複数の連結部位を形成してもよい。例えば、布材中央に連結部位（単数）を形成するように、布材部材の両端を切欠いて一対の分割溝部（分割部の別の他例）を形成することもできる。
（４）また布材と導電線材と接続部材の取付け手段は、縫着のほか、接着や融着等の各種手法を例示できる。
【００３６】
（５）また本実施形態では、シートクッション４の表皮材４Ｓに布材１０を使用する例を説明した。本実施形態の布材は、天板メイン部、天板サイド部、かまち部、背裏部、及びヘッドレスト８などの車両用シートの各種構成の表皮材（例えば４Ｓ，６Ｓ，８Ｓ）として使用することができる。また車両用シートのほか、天井部、ドア部、ハンドルなどの車両の各種構成の表皮材として使用することができる。
また本実施形態では、表皮材４Ｓの着座側に布材１０を用いた。これとは異なり、裏基布として布材を用いてもよい。
【符号の説明】
【００３７】
２     車両用シート
４     シートクッション
６     シートバック
８     ヘッドレスト
１０   布材
１２   パッド材
１０ｂ 布材本体
１０ｆ 布材片
２０   導電線材
２２ａ 分断部（分割部の一例）
２２ｂ 分割孔部（分割部の他例）
２２ｃ 連結部位
３０   接続部材
Ｓ     表皮材
Ｐ     クッション材
【図１】
2010245006.tif 000003
【図２】
2010245006.tif 000004
【図３】
2010245006.tif 000005
【図４】
2010245006.tif 000006
【図５】
2010245006.tif 000007
【図６】
2010245006.tif 000008
【図７】
2010245006.tif 000009